(57)【特許請求の範囲】
【請求項１】
掘削孔に中空既製杭を建て込んでなる杭基礎構造であって、前記中空既製杭の内側に隙間をあけて中空既製杭の内杭が装填された外杭と内杭からなる二重杭構造となっており、前記隙間は杭周固定液と掘削土砂との混合物で満たされ、前記混合物により前記外杭と前記内杭とが一体化していることを特徴とする杭基礎構造。
【請求項２】
前記杭基礎構造は、前記外杭が複数の中空既製杭を継手部を介して接続してなるものであり、前記内杭は前記継手部を跨いで設置されていることを特徴とする請求項１に記載の杭基礎構造。
【請求項３】
前記内杭は、外杭が上杭となる箇所に設置されており、前記内杭の上端は前記外杭の杭頭より突出していることを特徴とする請求項１又は２に記載の杭基礎構造。
【請求項４】
前記隙間は２０〜２００ｍｍであることを特徴とする請求項１〜３のいずれか一項に記載の杭基礎構造。
【請求項５】
前記外杭は、上杭と下杭もしくは上杭と中杭と下杭からなり、少なくとも前記上杭はＳＣ杭であることを特徴とする請求項１〜４のいずれか一項に記載の杭基礎構造。
【請求項６】
前記内杭は、鋼管杭又はＳＣ杭のいずれかであることを特徴とする請求項１〜５のいずれか一項に記載の杭基礎構造。
【発明の詳細な説明】
【技術分野】
【０００１】
本発明は、掘削孔に中空既製杭を建て込んでなる杭基礎構造であって、巨大地震等による前記中空既製杭の急激な耐力低下を防止した杭基礎構造に関する。
【背景技術】
【０００２】
従来から、ビルディング等の大型構造物を建造する際、上部の構造物を支持する基礎構造の一環として、該構造物の直下の地盤にＰＣ杭、ＲＣ杭、ＰＨＣ杭、ＰＲＣ杭、ＳＣ杭などの中空既製杭を建て込んで杭基礎を構築することが行われている。
【０００３】
中でも、ＳＣ杭は外殻鋼管内に高強度コンクリートや膨張コンクリートによる円筒層（コンクリート層）を形成してなるものであり、大きな曲げ荷重やせん断荷重が生じてもコンクリートが外殻鋼管の局部座屈を防止するとともに、コンクリートは外殻鋼管により拘束されて大きな靱性を発揮し小口でも大きな耐力を持つことから、概して、杭基礎における上杭として使用されてきている。
【０００４】
しかし、東日本大震災のような巨大地震により高軸力下での繰り返し曲げ荷重やせん断荷重を受けた場合は、中空既製杭の中でも耐力が大きいＳＣ杭であっても、ＳＣ杭が最大荷重に達した時に外殻鋼管が座屈し、それによって圧縮側のコンクリート層の一部が外殻鋼管から剥離して外殻鋼管との間に隙間を作るとともに、内側のコンクリートが杭周固定液や掘削土砂で満たされた杭中空部内に移動して杭の耐力が急激に減少し、杭が急激に折れ曲がって軸力が保持できなくなる恐れがある。
【０００５】
しかし、これまでは、このような問題に直面したことがなかったため、ＳＣ杭における耐力の急激な減少による杭の変形については十分に検討されてきていないが、幾つかの特許が公開されている。例えば、特許文献１には、鋼管の内面に突条を設けることにより、コンクリートにひび割れが発生してもその拡大が抑制される高弾性ＳＣ杭が記載されている。
【０００６】
また、中空既製杭を二重管構造にして該中空既製杭の耐力を高める方法が知られている。例えば、特許文献２には、土中にねじ込まれた鋼管製外管の管内に間隙を介して内管を挿入し、外管と内管の間隙にモルタルまたはセメントを打設する方法が記載されている。
【０００７】
特許文献３には、外側鋼管と内側鋼管とを同一軸線に沿って互いに同心円状に配置し、これらの間の環状間隙内にコンクリートを充填して二重管構造にした二重管式鋼管杭が記載されている。特許文献４には、既設鋼管杭の杭頭から補強鋼管を内部に挿入し、既設鋼管杭の内面と補強鋼管杭の外面との間に膨脹モルタルによる充填材を充填して一体化することにより既設鋼管杭を補強する既設鋼管杭の補強工法が記載されている。
【先行技術文献】
【特許文献】
【０００８】
【特許文献１】特開昭６１−２０７７１６号公報
【特許文献２】特開昭５９−１７３４１９号公報
【特許文献３】特開平８−１８４０３７号公報
【特許文献４】特開２００４−６０１５５号公報
【発明の概要】
【発明が解決しようとする課題】
【０００９】
しかし、東日本大震災のような巨大地震が発生した場合には、特許文献１のように鋼管の内面に突条を設けただけでは鋼管の座屈を防ぐことができず、コンクリート層におけるひび割れの拡大や剥離の進行を遅らせることができても、最終的にはコンクリート層の一部が外殻鋼管から剥離して外殻鋼管との間に隙間を作るとともに、内側のコンクリートが杭周固定液や掘削土砂で満たされた杭中空部内に移動して杭の耐力が急激に低下し、杭が急激に折れ曲がって軸力が保持できなくなる恐れがある。
【００１０】
また、特許文献２〜４に示されるような鋼管杭を二重管式にする方法は、既設鋼管杭の補強、土留めのための杭支持力の向上、単なる大型構造物の基礎などを想定したものであり、巨大地震により高軸力下での繰り返し曲げ荷重やせん断荷重を受けた場合の杭耐力の低下を考慮したものでないため、巨大地震等による杭の急激な耐力低下を必ずしも防止できるものではない。
【００１１】
加えて、いずれも外側鋼管と内側鋼管の間隙にはモルタルやコンクリートを充填するため、従来の杭基礎を構築するための杭周固定液を用いた杭施工の中では杭耐力の急激な低下防止を図り難い。
【００１２】
本発明は、上述のような課題の解決を図ったものであり、掘削孔に中空既製杭を建て込む杭基礎施工を行う中で巨大地震等による前記中空既製杭の急激な耐力低下の防止を図ってできた杭基礎構造を提供することを目的とする。
【課題を解決するための手段】
【００１３】
本発明の杭基礎構造は、「掘削孔に中空既製杭を建て込んでなる杭基礎構造であって、前記中空既製杭の内側に隙間をあけて中空既製杭の内杭が装填された外杭と内杭からなる二重杭構造となっており、前記隙間は杭周固定液と掘削土砂との混合物で満たされ、前記混合物により前記外杭と前記内杭とが一体化していることを特徴とする杭基礎構造」である。
【００１４】
本発明で用いる外杭としての中空既製杭は、ＰＣ杭、ＲＣ杭、ＰＨＣ杭、ＰＲＣ杭、ＳＣ杭など従来から用いられているコンクリート杭や合成杭でよく特に限定されない。中でも、ＳＣ杭は好ましい。前記外杭をＳＣ杭にすることによって、本発明の前記目的が達成し易くなる。
【００１５】
本発明では、杭基礎構造を上記中空既製杭の内側に隙間をあけて中空既製杭の内杭が装填された外杭と内杭からなる二重杭構造とする。このような二重杭構造とすることによって杭の耐力（曲げ性能、せん断性能、鉛直保持性能など）向上が図れるとともに、急激な折れ曲がりを起こさず最大荷重を超えて変位がすすんでも、荷重が急激に低下しないといった変形性能の向上も図れるからして、今後発生が想定される巨大地震への対応が期待できる。
【００１６】
前記内杭も中空既製杭である。この中空既製杭はＰＣ杭、ＲＣ杭、ＰＨＣ杭、ＰＲＣ杭などのコンクリート杭、鋼管杭、ＳＣ杭などの合成杭のいずれでもよく特に限定されないが、鋼管を用いた鋼管杭又はＳＣ杭のいずれかであるのが好ましい。
【００１７】
内杭をこれらのいずれかにすれば、例えば、ＳＣ杭の外杭において、外殻鋼管の座屈によりコンクリートの外殻鋼管から剥離が発生したとしても圧壊した内側のコンクリートが杭周固定液や掘削土砂で満たされた杭中空部内への移動を防ぎ、それによって杭の急激な耐力低下による杭の急激な折り曲げりを起こさないようにできる。
【００１８】
中でも、外杭と内杭のいずれもＳＣ杭とした、ＳＣ杭による二重杭構造は、本発明の前記目的を効果的に達成できるので好ましい。
【００１９】
前記内杭は、前記中空既製杭からなる前記外杭の内側に所定間隔の隙間をあけて装填される。
【００２０】
この隙間は２０〜２００ｍｍであるのが好ましい。２０ｍｍ未満では中空部径のばらつきがあり、中空部に鋼管やＳＣ杭を設置するのが困難であり、２００ｍｍを超えるとコンクリートの拘束効果が低下する。
【００２１】
上記隙間、孔壁と前記外杭との間、前記内杭の内側など、杭孔（掘削孔）底部の根固め液が充填された箇所以外の杭孔内は、杭周固定液と掘削土砂との混合物で満たされる。
【００２２】
杭周固定液は、従来から使われているものであれば特に限定されない。例えば、Ｗ／Ｃ＝６０〜２００％のセメントミルクであり、これを掘削体積に対し１０〜５０％程度混ぜて使う。
【００２３】
杭周固定液と掘削土砂との混合物は、前記外杭を建て込む際に製造される。該混合物の材齢２８日での一軸圧縮強度は０．２〜５Ｎ／ｍｍ２程度が好ましい。施工する地盤が砂質土や粘性土に関わらず、通常、掘削土砂と杭周固定液が混合することによってこの範囲の強度発現するので、この範囲にあればコンクリートの拘束効果も発揮できる。
【００２４】
本発明の杭基礎構造は、杭基礎の少なくとも一部が前記外杭と前記内杭からなる二重杭構造となっていればよく、必ずしも建て込んだ杭基礎の全長に渡って二重杭構造になっている必要はない。巨大地震等により杭の座屈、折れ曲がり、圧壊等の破壊が想定される箇所が二重杭構造になっていればよい。
【００２５】
前記外杭は、１本又は２本以上の複数本が継手部を介して接続されて建て込まれる。前記内杭は、１本の外杭の杭長と同じでも短くても長くてもよく、特に限定されない。外杭が２本以上の複数本が継手部を介して接続されて建て込まれる場合、前記内杭を前記継手部を跨いで隣接する前記外杭の両方に渡って設置するのは好ましい。このようにすれば、前記継手部が補強され、より強固な杭基礎構造が得られる。
【００２６】
前記内杭は、前記外杭を上杭となる箇所に設置する場合、前記内杭の上端を前記外杭の杭頭より突出させて設置しても良い。このようにすれば、内杭と固定治具の接する面積が多くなり、強固に取り付けることが可能である。
【００２７】
前記外杭は、上杭と下杭もしくは上杭と中杭と下杭からなる場合、少なくとも前記上杭をＳＣ杭にするのが好ましい。前記外杭は、そのすべてをＳＣ杭にすれば強固な杭基礎構造が得られるので好ましいが、概して、杭の前記破壊は杭基礎と上部構造物との境界付近で起こり易いので、前記上杭をＳＣ杭にすれば、前記境界付近での杭の急激な耐力低下を防止できる。
【発明の効果】
【００２８】
本発明の杭基礎構造によれば、掘削孔に建て込んだ中空既製杭の少なくとも一部が外杭と内杭からなる二重杭構造となっているので、巨大地震等による杭の急激な耐力低下の防止が図れる。
【００２９】
また、本発明の杭基礎構造は、従来の杭基礎施工方法を大きく変えることなく施工でき、杭基礎施工を行う過程で鋼管やＳＣ杭等の既存製品を組み合わせて用いるだけでも構築できるので簡便である。
【図面の簡単な説明】
【００３０】
【図１】本発明の杭基礎構造と従来の杭基礎構造との比較を示す図である。（ａ）と（ｂ）は本発明の杭基礎構造の一例、（ｃ）は従来の杭基礎構造の一例を示す図である。
【図２】本発明の杭基礎構造における内杭の設置パターン例を示す図である。（ａ）は、内杭の杭長が一つの外杭の杭長より短く、該内杭を上杭の杭上部に設置した例、（ｂ）は、内杭を外杭の上杭に設置した例、（ｃ）は、内杭を外杭の上杭と中杭に設置した例、（ｄ）は、内杭を外杭の全長に渡って設置した例、（ｅ）は、内杭を上杭と下杭に設置した例、（ｆ）は内杭を中杭と下杭に設置した例、（ｇ）は、内杭を下杭に設置した例、（ｈ）は内杭を中杭に設置した例である。
【図３】本発明の杭基礎構造において、内杭を継手部を跨いで設置した例である。（ａ）は、外杭の上杭に設けた内杭を中杭の方まで延長した例、（ｂ）は、内杭を継手部付近にのみ設け、内側固定金具を下杭側に取り付けた例、（ｃ）は、内杭を継手部付近にのみ設け、内側固定金具を中杭側に取り付けた例である。
【図４】外杭の施工後に内杭を設置する施工方法例を示す図である。（ａ）は内杭の建て込み開始時、（ｂ）は内杭の建て込み途中、（ｃ）は内杭の建て込み終了時の図である。
【図５】図４に示す施工例において、内側固定治具の取付例を示す図である。（ａ）は、L型鉄製で、４方向に内杭の側面に溶接で固定したものであり、長さは外杭の端板に引掛るような長さである。（ｂ）は、棒状鉄製で、内杭を跨いで内杭上端に溶接して固定したものであり、長さは外杭の端板に引掛る長さである。主に内杭の径や鋼管厚さが薄く重量が軽い場合に使用する。
【図６】外杭の施工途中で内杭を設置してしまう施工方法例を示す図である。（ａ）は内杭の外杭（上杭）へのセット、（ｂ）は内杭の固定、（ｃ）は内杭が取り付けられた外杭（上杭）のオーガ駆動装置へのセット、（ｄ）はオーガ駆動装置による内杭が取り付けられた外杭（上杭）の建て込み、（ｅ）は建込みが完了した本発明の杭基礎構造を示す図である。
【図７】予め外杭１と内杭６とを接続した二重杭構造の杭を上杭として用いる場合の施工方法例を示す図である。（ａ）は二重杭構造の杭のセット、（ｂ）は該杭のオーガ駆動装置へのセット、（ｃ）はオーガ駆動装置による該杭の建て込み、（ｄ）は建込みが完了した本発明の杭基礎構造を示す図である。
【図８】予め外杭と内杭とを接続した二重杭構造の杭を作る際の外杭と内杭の接続構造を示す図である。（ａ）はL型の鉄製で、４方向に内杭の側面および外杭端板に溶接して固定したものである。内杭に取り付ける側面部はスペーサの役割も果たす、（ｂ）は棒状鉄製で、内杭を跨いで、内杭上端に溶接して固定したものであり、（ｃ）はL字型の鉄製で、４方向に内杭の側面に溶接して固定し、外杭端板にボルトで固定したものである。
【図９】中杭あるいは下杭として用いるのに好適な外杭と内杭を接続した二重杭構造の杭を示す図である。（ａ）は外杭と内杭の杭頭が同レベルにある場合の例であり、上図は平面図、下図は正面図である。（ｂ）は内杭の杭頭が外杭より突出している場合の例である。
【発明を実施するための形態】
【００３１】
以下、本発明の実施形態について、図面に基づいて詳細に説明する。なお、本発明は、以下に説明する実施形態に限定されるものではない。
【００３２】
図１は、本発明の杭基礎構造と従来の杭基礎構造との比較を示す図である。（ａ）と（ｂ）は本発明の杭基礎構造の一例、（ｃ）は従来の杭基礎構造の一例を示す図である。
【００３３】
図１（ｃ）に示すように、中空既製杭を用いた杭基礎構造では、従来は、掘削孔に鋼管杭やＳＣ杭等の中空既製杭（本発明で言う外杭１）を建て込み、孔底部を根固め液５で満たすとともに、その上の孔内を杭周固定液と掘削土砂との混合物４で満たして杭を固定した単環状の杭基礎構造であった。
【００３４】
これに対し、本発明の杭基礎構造は、図１（ａ）、図１（ｂ）に示すように、中空既製杭の外杭１と中空既製杭の内杭６からなる二重環状の二重杭構造となっている。外杭１と内杭６との間にはスペーサ７が設置され、一定間隔の隙間が設けられている。スペーサ７は従来から用いられているものでよく特に限定されない。
【００３５】
この隙間も杭周固定液と掘削土砂との混合物４で満たされ、外杭１と内杭６とが一体化している。外杭１、内杭６、杭周固定液と掘削土砂との混合物４については、課題を解決するための手段の欄で述べた通りである。
【００３６】
このような二重杭構造とすることによって杭の耐力（曲げ性能、せん断性能、鉛直保持性能など）向上が図れるとともに、急激な折れ曲がりを起こさず最大荷重を超えて変位がすすんでも、荷重が急激に低下しないといった変形性能の向上も図れるからして、今後発生が想定される巨大地震への対応が期待できる。
【００３７】
図１（ａ）、図１（ｂ）の例では、内杭６の杭長を一つの外杭１の杭長と同じにしてあるが、これに限定されるものではなく、一つの外杭１の杭長より長くても短くてもよい。また、内杭６の設置位置を外杭１が上杭となる杭上部にしてあるが、これに限定されるものではなく、内杭６は図２に示すような様々なパターンで設置できる。
【００３８】
図１（ａ）は、内側固定治具９を内杭６の杭頭に設置する場合の図である。このような構造にすることによって、内側固定治具をL字型、内杭の側面に取り付けることができる。
【００３９】
図１（ｂ）は、内側固定治具９を内杭６の側面に設置する場合の図である。この場合は、図に示すように、内杭６の杭頭は外杭１より突出する。キャップ内に収まる程度の突出量であれば、施工上問題ない。このような構造にすることによって、内側固定治具を杭の側面に溶接する面が図１（ａ）より多くなり、より強固に取り付けることができる。なお、内側固定治具９とは、内杭６を固定するためのものであり、通常、鉄製である。
【００４０】
図２は、本発明の杭基礎構造における内杭の設置パターン例を示す図である。（ａ）は、内杭の杭長が一つの外杭の杭長より短く、該内杭を上杭の杭上部に設置した例、（ｂ）は、内杭を外杭の上杭に設置した例、（ｃ）は、内杭を外杭の上杭と中杭に設置した例、（ｄ）は、内杭を外杭の全長に渡って設置した例、（ｅ）は、内杭を上杭と下杭に設置した例、（ｆ）は内杭を中杭と下杭に設置した例、（ｇ）は、内杭を下杭に設置した例、（ｈ）は内杭を中杭に設置した例である。
【００４１】
前述の通り、本発明の目的は「巨大地震等による杭の急激な耐力低下の防止」である。したがって、内杭６は外杭１が座屈したり折れ曲がったり圧壊したりし易いと想定される箇所に設けられ、設置位置は特に限定されない。
【００４２】
図２の例では、外杭１は、上杭と中杭と下杭とが継手部２により接続されてなる。図２（ａ）では、内杭６は杭長が上杭となる外杭１の杭長より短く、上杭の杭上部のみに設置されている。良好な地盤の層厚が厚く、上杭の杭上部に大きな曲げモーメントが作用する場合は、このように上杭の杭上部のみに内杭６を設置しても良い。
【００４３】
図２（ｂ）は、内杭６の杭長を外杭１の上杭の杭長と同じにした例である。杭の損壊が杭上部で起こることが想定される場合は、この例のように内杭６を上杭部に設けておけばよい。
【００４４】
図２（ｃ）は、内杭６を外杭１の上杭から中杭に渡って設けた例である。軟弱な地盤の層厚が厚い場合や、杭頭接合方法が杭頭半剛接合の場合は、中杭まで大きな曲げモーメントが作用するため、この例のように内杭６を上杭から中杭に渡って設けておくのが好ましい。
【００４５】
図２（ｄ）は、内杭６を外杭１の全長に渡って設けた例である。杭の損壊がどの箇所で起こるかわからない場合は、この例のように内杭６を外杭１の全長に渡って設けておけば、本発明の目的を効果的に達成できる。
【００４６】
図２（ｅ）は、内杭６を外杭１の上杭と下杭に設けた例である。地震によって杭頭に作用する水平力に加えて、地中部に作用する地盤変位も考慮する必要があるが、そのような場合は、この例のように内杭６を上杭と下杭に設けておくのが好ましい。
【００４７】
図２（ｆ）は、内杭６を外杭１の中杭と下杭に設けた例である。地中部に作用する地盤変位のみを考慮すればよい場合は、この例のように内杭６を中杭と下杭に設けておくのが好ましい。
【００４８】
図２（ｇ）は、内杭６を外杭１の下杭のみに設けた例である。ある程度深い地中部に作用する地盤変位も考慮すればよい場合は、この例のように内杭６を下杭のみに設けておけばよい。
【００４９】
図２（ｈ）は、内杭６を外杭１の中杭のみに設けた例である。表層より少し深い地中部に作用する地盤変位を考慮すればよい場合は、この例のように内杭６を中杭のみに設けておけばよい。
【００５０】
図３は、本発明の杭基礎構造において、内杭を継手部を跨いで設置した例である。（ａ）は、外杭の上杭に設けた内杭を中杭の方まで延長した例、（ｂ）は、内杭を継手部付近にのみ設け、内側固定金具を下杭側に取り付けた例、（ｃ）は、内杭を継手部付近にのみ設け、内側固定金具を中杭側に取り付けた例である。
【００５１】
前述の通り、外杭１に対して内杭６の長さは限定されず、図３（ａ）に示すように、一つの内杭６の杭長が一つの外杭１の杭長より長いものを用いて設置しても良い。図３（ａ）のような杭基礎構造にすれば、外杭１の上杭だけでなく継手部も補強できるので、より強固な杭構造が得られる。
【００５２】
図３（ｂ）、（ｃ）は、内杭６を継手部２付近にのみ設けた例である。継手部２に大きな曲げモーメントが作用するような場合は、継手部２のみの補強を行っても良い。内杭６を固定する内側固定治具９の設置個所は、図３（ｂ）のように外杭１の下側の杭、図３（ｃ）のように外杭１の上側の杭のいずれでもよい。
【００５３】
次に、本発明の杭基礎構造の施工例について説明する。
【００５４】
図４は、外杭の施工後に内杭を設置する施工方法例を示す図である。（ａ）は内杭の建て込み開始時、（ｂ）は内杭の建て込み途中、（ｃ）は内杭の建て込み終了時の図である。
【００５５】
図４（ａ）に示すように、外杭１の施工後、掘削孔が杭周固定液と掘削土砂との混合物４で満たされた状態で、スペーサ７や内側固定治具９が備わった内杭６がオーガ駆動装置１２にセットされる。そして、図４（ｂ）に示すように、内杭６はオーガ駆動装置１２により外杭１の上杭部分に建て込まれる。その後、内側固定治具９により内杭６は固定される。この施工方法は、杭頭レベルが地表面に近く、杭長が短い場合に用いる。なお、内杭６の建て込みはオーガ駆動装置に限定されるものではなく、クレーン等の他の機材を用いて行っても良い。
【００５６】
図５は、上記図４に示す施工例において、内側固定治具９の取付例を示す図である。（ａ）は、L型鉄製で、４方向に内杭６の側面に溶接で固定したものであり、長さは外杭１の端板３に引掛るような長さである。（ｂ）は、棒状鉄製で、内杭６を跨いで内杭６の上端に溶接して固定したものであり、長さは外杭１の端板３に引掛るような長さである。主に内杭の径や鋼管厚さが薄く重量が軽い場合に使用する。
【００５７】
図６は、外杭の施工途中で内杭を設置してしまう施工方法例を示す図である。（ａ）は内杭の外杭（上杭）へのセット、（ｂ）は内杭の固定、（ｃ）は内杭が取り付けられた外杭（上杭）のオーガ駆動装置へのセット、（ｄ）はオーガ駆動装置による内杭が取り付けられた外杭（上杭）の建て込み、（ｅ）は建込みが完了した本発明の杭基礎構造を示す図である。
【００５８】
図６（ａ）に示すように、外杭１の上杭を杭受け治具２３に取付ワイヤー２４で取付け、スペーサ７や内側固定治具９を設けた内杭６をクレーンで吊り上げ、前記上杭内に装填する。図６（ｂ）に示すように、内側固定治具９を上杭の端板３に溶接やボルトで取付け、装填した内杭６を固定する。次に、図６（ｃ）に示すように、上杭の杭頭金具８に回転キャップ１０を取付ワイヤー２４は外す。図６（ｄ）に示すように、オーガ駆動装置１２により外杭１と内杭６同時に建込み、図６（ｅ）に示す本発明の杭基礎構造を完成させる。
【００５９】
この施工方法は、杭頭レベルが地表面から深く、杭長が長い場合に用い、この施工方法を用いることにより内杭を設置する際に、外杭を押し付けないといったメリットが得られる。
【００６０】
図７は、予め外杭１と内杭６とを接続した二重杭構造の杭を上杭として用いる場合の施工方法例を示す図である。（ａ）は二重杭構造の杭のセット、（ｂ）は該杭のオーガ駆動装置へのセット、（ｃ）はオーガ駆動装置による該杭の建て込み、（ｄ）は建込みが完了した本発明の杭基礎構造を示す図である。
【００６１】
図６に示す方法では、二重杭構造の上杭を施工現場で製作したが、図７に示す方法では予め外杭１と内杭６とを接続した二重杭構造の杭を上杭として用いるため、図６（ａ）に示す工程が省略できる。オーガ駆動装置による杭の建て込み工程（ｂ）〜（ｄ）は、図６の工程（ｃ）〜（ｅ）と同じである。
【００６２】
図８は、予め外杭と内杭とを接続した二重杭構造の杭を作る際の外杭と内杭の接続構造を示す図である。（ａ）はL字の鉄製金具を４方向、内杭６の側面に溶接したものである。外杭１の端板３に内側固定治具９を溶接したものである。内杭６と外杭１との隙間１３の鋼材は、スペーサの役割も果たす。（ｂ）は棒状金具を端板３に溶接したものである。主に内杭６の径や鋼管厚さが薄く重量が軽い場合に使用する、（ｃ）はL字の鉄製金具を４方向、内杭６の側面に溶接し、内側固定治具９を外杭１の端板３にボルトで固定したものである。
【００６３】
図９は、中杭あるいは下杭として用いるのに好適な外杭と内杭を接続した二重杭構造の杭を示す図である。（ａ）は外杭と内杭の杭頭が同レベルにある場合の例であり、上図は平面図、下図は正面図である。（ｂ）は内杭の杭頭が外杭より突出している場合の例である。
【００６４】
図２の（ｃ）〜（ｈ）に示すように、中杭や下杭を二重杭構造の杭にして用いる場合は、図９の（ａ）もしくは（ｂ）に示すような杭を予め作製しておき、それを施工現場に持ち込んで使用するのが好ましい。
【００６５】
図９（ａ）に示すものは中杭または下杭として用いるものであって、外杭１と内杭６の高さが同じ場合に用い、図９（ｂ）に示すものは中杭または下杭としてもちいるものであって、内杭６の高さが外杭１の高さより高い（継手部を跨ぐ）場合に用いる。本発明の杭基礎構造に用いるこの二重杭構造の杭は、外杭１の杭中空部に内杭６が隙間１３をあけて装填されており、該隙間１３には一定の隙間間隔になるようにスペーサ７が設けられている。また、内側固定治具９により内杭６は固定され、外杭１と内杭６とが一体化している。
【００６６】
この杭は、まず内杭６と内杭固定治具９を溶接し、さらに内杭固定治具９を外杭１の端板３の内側に溶接して作製される。
【符号の説明】
【００６７】
１…外杭、２…継手部、３…端板、４…杭周固定液と掘削土砂との混合物、５…根固め液、６…内杭、７…スペーサ、８…杭頭金具、９…内側固定治具、１０…回転キャップ、１１…ロッド、１２…オーガ駆動装置、１３…隙間、２１…吊ワイヤー、２２…クレーン用杭吊り治具、２３…杭受け治具、２４…取付ワイヤー、２５…溶接部、２６…ボルト
【図１】
0006542036.tif 000002
【図２】
0006542036.tif 000003
【図３】
0006542036.tif 000004
【図４】
0006542036.tif 000005
【図５】
0006542036.tif 000006
【図６】
0006542036.tif 000007
【図７】
0006542036.tif 000008
【図８】
0006542036.tif 000009
【図９】
0006542036.tif 000010